(57)【要約】【課題】堤防や漁港の、岸壁近くに生息する食用の大きなカニを捕獲するために、従来は蟹網や蟹籠を用いていたが、これらはカニが餌を挟んだかどうかは分からなかった。  又、カニは餌を食べ終わると網の外に逃げ出してしまうため、これらのカニを捕獲することは困難であった。  本発明は、カニが餌を挟んだときに竿先に出るアタリで竿を操作してカニを釣り上げるカニ釣り網を提供する。【解決手段】上方を開口した有底袋状の網の開口部に上枠を設け、上枠に複数の支持糸の一端を固結し、支持糸の他端は上枠の中心上方で直立する支軸の中途に結束させて結束部とする。  支軸の下端に餌取付け部を有し支軸の上端に固結部を設け、その支軸は結束部の下方に突出させる。【選択図】図１
2011229514.tif 000002
【特許請求の範囲】
【請求項１】
上方を開口した有底袋状の網の開口部に上枠を設け、上枠に複数の支持糸の一端を固結し、支持糸の他端は上枠の中心上方で直立する支軸の中途に結束させて結束部とし、支軸の下端に餌取付け部を有し支軸の上端に固結部を設け、支軸を結束部の下方に突出させた事を特徴とするカニ釣り網。
【発明の詳細な説明】
【技術分野】
【０００１】  本発明は、堤防や漁港の、岸壁の近くに生息する食用の大きなカニを、カニが餌を挟んだときに竿先に出るアタリ（魚信）に合わせて竿を操作してカニを捕獲する、カニ釣り網に関するものである。
【背景技術】
【０００２】  従来、食用の大きなカニを捕獲するために、蟹網や蟹籠が使われている。
又、カニが餌を挟んだときに竿先に出るアタリでカニを捕獲するとされる、発明の名称「蟹釣りかご」が特許出願されている（特許文献１参照）。
また、袋状網の内部に誘引餌を仕込み、錘を付けて海底に沈め、蟹が餌に抱きついたらゆっくり引き上げて、たも網等ですくい取る方法が特許出願されている（特許文献２参照）。
また、４つの輪を用いてその中心にステンレスの支柱を立て、その支柱の根元に餌刺し、ステンレスのこませかごを支柱に付け更にその上に発泡スチロールの浮き玉を付ける方法が特許出願されている（特許文献３参照）。
【先行技術文献】
【０００３】
【特許文献１】  特開２００３−２１００７３号公報
【特許文献２】  特開２０００−３０８４３６号公報
【特許文献３】  特開２００５−３４８７１６号公報
【発明の概要】
【発明が解決しようとする課題】
【０００４】  従来の蟹網や蟹籠では、カニが餌を挟んだときになんらのアタリも出ないので、カニが蟹網や蟹籠の中に入ったかどうかはこれらの道具を引き上げてみなければ分からなかった。
又、カニは餌を食べ終わると網の外に逃げ出してしまうため、これらのカニを捕獲することは困難であった。
さらに、普通の太さの竿で操作するには蟹網や蟹籠は重すぎて不向きである。【０００５】又、特許文献１の「図面」と、「発明の詳細な説明」を読むと、「蟹かごを海底まで沈めるとかご上部の円形部分とかご下部の円形部分が重なり平らな状態になる」と書かれている。
しかし、この状態では、餌袋を固定するヒモは弛んでしまい、餌袋は浮遊して安定はしなく、蟹が餌袋を挟むことは非常に難しくなる。
したがって、蟹が蟹釣りかごの中に入っても餌袋を挟めないので釣り竿の先が揺れることは滅多に無い。
本発明は、以上の問題点を解決するものである。
【課題を解決するための手段】
【０００６】  上方を開口した有底袋状の網の開口部に上枠を設け、上枠に複数の支持糸の一端を固結し、支持糸の他端は上枠の中心上方で直立する支軸の中途に結束させて結束部とする。
支軸の下端に餌取付け部を有し支軸の上端に固結部を設け、その支軸は結束部の下方に突出してなるカニ釣り網である。
【発明の効果】
【０００７】  従来、竿先に出るアタリでカニを釣ることは考えられていなかったが、それを可能にした。
又、カニが餌を挟み竿先にアタリが出れば、即座に竿を操作してカニを釣り上げることが出来、従来のように、カニが餌を食べ終わって網の外に逃げ出してしまうことも無くなった。
本発明は、小さくて軽いので、子供や女の人でも普通の太さの竿で操作出来、しかも安全な場所で食用の大きなカニを釣る事が出来る。
【図面の簡単な説明】
【０００８】
【図１】本発明の斜視図
【図２】本発明の使用状態を示す斜視図
【図３】本発明の使用状態の一例を示す斜視図
【図４】本発明の餌の位置をＡ−Ａ線断面で示す平面図
【図５】本発明の道糸と餌の位置を示す略図
【発明を実施するための形態】
【０００９】  以下、本発明の実施の形態を説明する。
上方を開口した有底袋状の網（８）の上部の開口部（１３）に設けた金属製の上枠（６）に、３本の支持糸（４）の一端を固結し、その支持糸（４）の他端は上枠（６）の中心上方で直立する支軸（１）の中途に結束させて結束部（３）とする。
支軸（１）の下端に餌取付け部（５）を有し、支軸（１）の上端に道糸（９）を結ぶ固結部（２）を設ける。
その支軸（１）は結束部（３）の下方に突出させる。
本発明は以上のような構造である。
【実施例】
【００１０】  以下、図２、図３で実施例を説明する。
上方を開口した有底円筒状の網（８）の底部に円形の金属製の下枠（７）を有し、上部の開口部（１３）に円形の金属製の上枠（６）を設ける。
上枠（６）に、３本の支持糸（４）の一端を略等間隔に固結し、その支持糸（４）の他端を上部で結束し、結束部（３）を設ける。
そのとき、支持糸（４）の長さは開口部（１３）の直径未満にする。
支持糸（４）を上部で結束して設けた結束部（３）に、下端に餌取付け部（５）を有し、上端に道糸（９）を結ぶための固結部（２）を設けた直立状の支軸（１）を結束部（３）の下方に突出させる。
支軸（１）は金属製が最適であるが、プラスチック製や竹などの木製でも良い。
又、開口部（１３）を四角形にした場合は、支持糸（４）は４本にするのが望ましい。【００１１】  本発明を使用するときは、支軸（１）の下端の餌取付け部（５）に餌（１２）を取付け、支軸（１）の上端の固結部（２）に道糸（９）を結び、その道糸（９）に玉ウキ（１１）を通して、上方でヨリモドシ（１０）の下端に結ぶ．
他方、ヨリモドシ（１０）の上端に結んだ道糸（９）は、竿先のガイドを通ってリールへとつながっている。
本発明を海に投入し、海底に着いてからリールを巻いて道糸（９）を張れば、餌（１２）から竿先まで略一直線になり、図３に示すような状態になる。
又、本発明を海に投入し海底まで沈んでいく間、玉ウキ（１１）の浮力で餌（１２）が支持糸（４）や網（８）に絡まることが無くなり、便利である。【００１２】  本発明が海底に着くと、網（８）の上枠（６）と下枠（７）はほぼ上下に重なり、網（８）の高さが低くなり、カニが開口部（１３）に入りやすくなる。
餌（１２）は開口部（１３）の中心上方に位置する餌取付け部（５）に固定されているのでカニは開口部（１３）に入らなければ餌（１２）にハサミ脚が届かない。
開口部（１３）に入ったカニが、餌（１２）を挟み引っ張ると、竿先にアタリが出て、釣り人はカニが網の中に入ったことが分かる。
そのとき、釣り人は竿を上げながらリールを巻いてくればカニを釣り上げることが出来る。【００１３】  図４、図５では最も重要な餌の位置を説明する。
図４は図２のＡ−Ａ線断面の平面図である。
ａ、ｂ、ｃはそれぞれの支持糸（４）の断面を示す位置であり、それらを仮の線で結べば三角形ａｂｃが形成される。
また、図５のｄからｅ、ｅからｆの破線は餌（９）の移動を示す軌跡である。
又、イ、ロ、ハは道糸（９）の傾きを示しており、イは上枠（６）に対して垂直、ロはイに対して約３０度、ハはイに対して約４５度傾いた位置を示している。
本発明の釣りでは、網（８）は海面遠くへは投入できないので、岸壁の高さ、海の深さを考慮すると、これ以上の道糸（９）の傾きはほとんどない。【００１４】  道糸（９）がイの位置からロの位置まで傾いていくと、餌（１２）の位置もｄからｅに円弧を描いて移動し海底からの高さはほとんど変わらない。
このとき、結束部（３）が支点としての役割を果たし支持糸（４）は動かない。
その結果、餌（１２）は常に三角形ａｂｃの内側に存在する。
さらに、道糸（９）がロの位置からハの位置に徐々に傾いていくと、餌（１２）の位置もｅからｆに円弧を描いて移動していくが、円心上方付近に位置することに変わりなく、海底からの高さが若干低くなる程度である。【００１５】  したがって、全体的に見れば、本発明を海面に投入し海底に着いてからリールを巻いて道糸（９）を張れば、餌（１２）は常に開口部（１３）の円心近くの上方に位置する。
したがって、カニが餌を挟むためには開口部（１３）の円心近くまで入ってくる必要がある。
その為、開口部（１３）に入ってきたカニは、円心近くでハサミ脚を上方に伸ばして餌（１２）を挟むので、明確に竿先にアタリが出る。
その瞬間に釣り人は竿を操作してリールを巻いてくれば、間違いなくカニを釣り上げることが出来る。
【符号の説明】
【００１６】（１）支軸
（２）固結部
（３）結束部
（４）支持糸
（５）餌取付け部
（６）上枠
（７）下枠
（８）網
（９）道糸
（１０）ヨリモドシ
（１１）玉ウキ
（１２）餌
（１３）開口部
【図１】
2011229514.tif 000003
【図２】
2011229514.tif 000004
【図３】
2011229514.tif 000005
【図４】
2011229514.tif 000006
【図５】
2011229514.tif 000007